【事件の表示】
　特願２００１−　１８６５２「通帳頁めくり装置」拒絶査定不服審判事件〔平成１４年　８月　６日出願公開、特開２００２−２１９８８６〕について、次のとおり審決する。
【結　論】
　本件審判の請求は、成り立たない。
【理　由】
１．手続の経緯
　本願は、平成１３年１月２６日の出願であって、平成１８年３月２２日付けで拒絶査定がなされ、これに対し、同年４月２６日付けで拒絶査定に対する審判請求がなされるとともに、同日付けで明細書についての手続補正がなされたものである。
　
２．平成１８年４月２６日付けの手続補正についての補正却下の決定
［補正の却下の決定の結論］
　平成１８年４月２６日付けの手続補正（以下、「本件補正」という。）を却下する。
［理由］
（１）補正の内容
　本件補正により、本件補正前の平成１７年１２月２２日付け手続補正書により補正された請求項１〜３が、
「【請求項１】　通帳搬送路中の定位置に外周面の一部において半径方向に突出するめくり部材を有するめくりローラを１軸上において設け、そのめくりローラを所定の一方向又は他方向に回転させて、所定のめくり位置に停止された通帳の前記めくりローラに接触する表紙又は中紙を膨らませ、かつ、前記めくりローラの上方に跳ね上げさせた後、前記通帳の綴じ目が前記めくりローラの下側を通過する方向に搬送して、前記跳ね上げさせた表紙又は中紙を反転させることにより、頁の正めくり又は逆めくりを行う通帳頁めくり装置において、
　前記めくり部材が真上に位置する状態を前記めくりローラのホームポジションとし、演算制御部が出力する指定めくり枚数が複数枚の場合、少なくとも最後の頁めくりの場合は、めくりローラをホームポジションを越える角度まで所定方向に回転させて、中紙の先端のめくり部材に対する係止を解除した後、跳ね上げさせた中紙を通帳の搬送により反転させる前又は後に、めくりローラを反対方向に回転させてホームポジションに復帰させるめくりモータ制御手段を備えたことを特徴とする通帳頁めくり装置。
　【請求項２】　めくりモータ制御手段は、指定めくり枚数が１の場合は、めくりローラを（３６０＋θ）°所定方向に回転させ、前記跳ね上げさせた表紙又は中紙を通帳の搬送により反転させる前又は反転させた後に、反対方向にθ°回転させて前記ホームポジションに復帰させ、指定めくり枚数が２以上の場合は、１枚目は（３６０＋θ）°回転させ、２枚目から最終枚目までは１枚ごとに３６０°回転させ、前記跳ね上げさせた表紙又は中紙を通帳の搬送により反転させる前又は反転させた後に、反対方向にθ°回転させてホームポジションに復帰させるものであることを特徴とする請求項１に記載された通帳頁めくり装置。
　【請求項３】　めくりモータ制御手段は、指定めくり枚数が１の場合は、めくりローラを（３６０＋θ）°所定方向に回転させ、前記跳ね上げさせた表紙又は中紙を通帳の搬送により反転させる前又は反転させた後に、反対方向にθ°回転させて前記ホームポジションに復帰させ、指定めくり枚数が２以上の場合は、１枚目から最終枚直前までについては１枚ごとに３６０°回転させ、最終枚目に対しては、（３６０＋θ）°回転させ、前記跳ね上げさせた表紙又は中紙を通帳の搬送により反転させる前又は反転させた後に、反対方向にθ°回転させてホームポジションに復帰させるものであることを特徴とする請求項１に記載された通帳頁めくり装置。」から
　
「【請求項１】　通帳搬送路中の定位置に外周面の一部において半径方向に突出するめくり部材を有するめくりローラを１軸上において設け、そのめくりローラをめくり方向に回転させて、所定のめくり位置に停止された通帳の前記めくりローラに接触する表紙又は中紙をその通帳の綴じ目側に膨らませ、かつ、前記めくりローラの上方に跳ね上げさせた後、前記通帳を前記綴じ目が前記めくりローラの下側を通過する方向に搬送して、前記跳ね上げさせた表紙又は中紙を反転させることにより、頁の正めくり又は逆めくりを行う通帳頁めくり装置において、
　前記めくり部材が真上に位置する状態を前記めくりローラのホームポジションとし、指定めくり頁数が１の場合は、前記めくりローラをホームポジションからめくり方向に１回転させた後、若干量の逆転と正転を少なくとも１回行わせ、さらに前記めくりローラをめくり方向に前記めくり部材が前記ホームポジションを越えて前記めくり部材に係止することがある頁先端の係止を解除し得る位置まで回転させた後、跳ね上げさせた中紙を通帳の搬送により反転させる前又は後に、前記めくりローラをめくり方向と反対方向に回転させてホームポジションに復帰させ、
　指定めくり頁数が２以上の場合は、１頁目から最終頁直前までの各頁に対しては、１頁ごとに前記めくりローラをホームポジションからめくり方向に１回転させた後、若干量の逆転と正転を少なくとも１回行わせ、最終頁に対しては、前記めくりローラをホームポジションからめくり方向に１回転させた後、若干量の逆転と正転を少なくとも１回行わせ、さらに前記めくりローラをめくり方向に前記めくり部材が前記ホームポジションを越えて前記めくり部材に係止することがある頁先端の係止を解除し得る位置まで回転させた後、跳ね上げさせた中紙を通帳の搬送により反転させる前又は後に、前記めくりローラをめくり方向と反対方向に回転させてホームポジションに復帰させるめくりモータ制御手段を備えたことを特徴とする通帳頁めくり装置。
　【請求項２】　通帳搬送路中の定位置に外周面の一部において半径方向に突出するめくり部材を有するめくりローラを１軸上において設け、そのめくりローラをめくり方向に回転させて、所定のめくり位置に停止された通帳の前記めくりローラに接触する表紙又は中紙をその通帳の綴じ目側に膨らませ、かつ、前記めくりローラの上方に跳ね上げさせた後、前記通帳を前記綴じ目が前記めくりローラの下側を通過する方向に搬送して、前記跳ね上げさせた表紙又は中紙を反転させることにより、頁の正めくり又は逆めくりを行う通帳頁めくり装置において、
　前記めくり部材が真上に位置する状態を前記めくりローラのホームポジションとし、指定めくり頁数が１の場合は、前記めくりローラをホームポジションからめくり方向に１回転とさらに前記めくり部材が前記ホームポジションを越えて前記めくり部材に係止することがある頁先端の係止を解除し得る位置まで回転させ、若干量の逆転と正転を少なくとも１回行わせた後、跳ね上げさせた中紙を通帳の搬送により反転させる前又は後に、前記めくりローラをめくり方向と反対方向に回転させてホームポジションに復帰させ、
　指定めくり頁数が２以上の場合は、１頁目に対しては、前記めくりローラをホームポジションからめくり方向に１回転とさらに前記めくり部材が前記ホームポジションを越えて前記めくり部材に係止することがある頁先端の係止を解除し得る位置まで回転させた後、若干量の逆転と正転を少なくとも１回行わせ、２頁目から最終頁直前までに対しては、１頁ごとに前記めくりローラをめくり方向に１回転させた後、若干量の逆転と正転を少なくとも１回行わせ、最終頁に対しては、前記めくりローラをめくり方向に１回転させた後、若干量の逆転と正転を少なくとも１回行わせ、跳ね上げさせた中紙を通帳の搬送により反転させる前又は後に、前記めくりローラをめくり方向と反対方向に回転させてホームポジションに復帰させるめくりモータ制御手段を備えたことを特徴とする通帳頁めくり装置。
　【請求項３】　通帳搬送路中の定位置に外周面の一部において半径方向に突出するめくり部材を有するめくりローラを１軸上において設け、そのめくりローラをめくり方向に回転させて、所定のめくり位置に停止された通帳の前記めくりローラに接触する表紙又は中紙をその通帳の綴じ目側に膨らませ、かつ、前記めくりローラの上方に跳ね上げさせた後、前記通帳の綴じ目が前記めくりローラの下側を通過する方向に搬送して、前記跳ね上げさせた表紙又は中紙を反転させることにより、頁の正めくり又は逆めくりを行う通帳頁めくり装置において、
　前記めくり部材が真上に位置する状態を前記めくりローラのホームポジションとし、指定めくり頁数が１の場合は、前記めくりローラをホームポジションからめくり方向に１回転に加えてさらに前記めくり部材に係止することがある頁先端の係止を解除し得る位置まで回転させ、若干量の逆転と正転を少なくとも１回行わせた後、跳ね上げさせた中紙を通帳の搬送により反転させる前又は後に、前記めくりローラをめくり方向と反対方向に回転させてホームポジションに復帰させ、
　指定めくり頁数が２以上の場合は、１頁目から最終頁直前までに対しては、１頁ごとに前記めくりローラをホームポジションからめくり方向に１回転させ、若干量の逆転と正転を少なくとも１回行わせ、最終頁に対しては、前記めくりローラをホームポジションからめくり方向に１回転に加えてさらに前記めくり部材に係止することがある頁先端の係止を解除し得る位置まで回転させ、若干量の逆転と正転を少なくとも１回行わせた後、跳ね上げさせた中紙を通帳の搬送により反転させる前又は後に、前記めくりローラをめくり方向と反対方向に回転させてホームポジションに復帰させるめくりモータ制御手段を備えたことを特徴とする通帳頁めくり装置。」と補正された。
　 
（２）新規事項の追加についての検討
　補正後の請求項２には「指定めくり頁数が１の場合は、前記めくりローラをホームポジションからめくり方向に１回転とさらに前記めくり部材が前記ホームポジションを越えて前記めくり部材に係止することがある頁先端の係止を解除し得る位置まで回転させ、若干量の逆転と正転を少なくとも１回行わせた後・・・」、「指定めくり頁数が２以上の場合は、１頁目に対しては、前記めくりローラをホームポジションからめくり方向に１回転とさらに前記めくり部材が前記ホームポジションを越えて前記めくり部材に係止することがある頁先端の係止を解除し得る位置まで回転させた後、若干量の逆転と正転を少なくとも１回行わせ・・・」、「最終頁に対しては、前記めくりローラをめくり方向に１回転させた後、若干量の逆転と正転を少なくとも１回行わせ・・・」と記載されている。
　また、補正後の請求項３には、「指定めくり頁数が１の場合は、前記めくりローラをホームポジションからめくり方向に１回転に加えてさらに前記めくり部材に係止することがある頁先端の係止を解除し得る位置まで回転させ、若干量の逆転と正転を少なくとも１回行わせた後・・・」、「最終頁に対しては、前記めくりローラをホームポジションからめくり方向に１回転に加えてさらに前記めくり部材に係止することがある頁先端の係止を解除し得る位置まで回転させ、若干量の逆転と正転を少なくとも１回行わせた後・・・」と記載されている。
　
　一方、願書に最初に添付された明細書及び図面（以下、「当初明細書等」という。）には、「【００２５】・・・すなわち、めくりローラ１がホームポジション直前まで回転された時、めくりモータＭ２の正転が停止される（Ｓ１２）。この正転の過程で、めくり位置に停止された通帳の表紙ｆｐが図５（ｃ）に示すように、回転されるめくりローラ１のめくり部材２により上方に湾曲し、かつ、図５（ｄ）に示すように、跳ね上がってめくりローラ１に完全に乗り上がる。この場合、めくり部材の表紙に対する押圧力が大きい場合は、表紙に中紙が付着して、図５（ｃ）に鎖線で示すように、引き込まれて２枚めくりを生じさせる恐れがある。このような２枚めくりを防ぐため、めくりモータＭ２は、ｙ１ステップだけ逆転される（Ｓ１３，Ｓ１４。図６（ｅ））。
　【００２６】　引き続き、カムモータＭ４が所定方向に回転されて、それまで突き上げ位置に維持されていた突き上げ部材１５ｂが初期位置に下降される（Ｓ１５。図５（ｄ））。これにより、跳ね上げを防止された中紙の搬送面への落下を促進する。続いて、めくりモータの正転開始（Ｓ１６）、ｙ１ステップでの停止（Ｓ１７）を行なう（図５（ｄ）図６（ｅ）及び（ｆ））。これにより、めくり動作の中のいわば「しごき」（分離作用）を行われるため、表紙に付着されている中紙がある場合は、その中紙がより確実に表紙から分離される効果が得られる。
　【００２７】　上記分離作用により２枚めくりを防止した後は、演算制御部１６の指定めくり頁数の残が０か否か、すなわち、現在のめくり動作が最後のめくりか否かを調べる（Ｓ２０）。指定めくり頁数の残が０でない時は、Ｓ７に戻り、次の頁めくり動作、すなわち、１枚目の中紙に対してＳ７からＳ２０までの各ステップの動作を行なう。
　【００２８】　そして、Ｓ２０において、最後のめくりと判断したときは、再びめくりモータＭ２の正転を開始し（Ｓ２１）、めくりローラがホームポジションを越えた所定の位置｛（３６０＋θ）°｝まで回転された時、すなわち、めくりローラがホームポジションに到達したことがセンサにより検知された時からめくりモータＭ２がｘ３ステップ回転された時（Ｓ２２においてＹ）、めくりモータＭ２の正転が停止される（Ｓ２３。図６（ｇ））。このめくりローラ１のホームポジションを越えた位置までの回転により、図９（ａ）に示すように、従来のようにホームポジションまで回転して停止した場合に、最後にめくられる中紙ｍｐがめくり部材２に係止されていても、同図（ｂ）に示すように、めくりローラ１のホームポジションを越えた位置までの回転の際にその係止が解除される効果が得られる。」との記載がある。
　上記記載によれば、めくりローラをホームポジションからめくり方向に１回転させ、若干量の逆転と正転を少なくとも１回行わせた後、演算制御部１６の指定めくり頁数の残が０か否か、すなわち、現在のめくり動作が最後のめくりか否かを調べ、最後のめくりの場合（指定めくり頁数が１の場合及び指定めくり頁数が２以上の場合で最終頁の場合）は、再びめくりモータＭ２の正転を開始し、めくりローラがホームポジションを越えた所定の位置｛（３６０＋θ）°｝まで回転された時、めくりモータＭ２の正転が停止されること、最後のめくりでない場合（指定めくり頁数が２以上の場合で１頁目から最終頁直前までの場合）は、次の頁めくり動作（めくりローラをホームポジションからめくり方向に１回転させ、若干量の逆転と正転を少なくとも１回行わせた後、演算制御部１６の指定めくり頁数の残が０か否か、すなわち、現在のめくり動作が最後のめくりか否かを調べる）が行われることが記載されている。
　しかしながら、補正後の請求項２に記載されたように、指定めくり頁数が１の場合に、めくりローラをホームポジションからめくり方向に１回転「とさらにめくり部材がホームポジションを越えてめくり部材に係止することがある頁先端の係止を解除し得る位置まで回転」させた後、若干量の逆転と正転を少なくとも１回行わせること、指定めくり頁数が２以上の場合の１頁目に対して、めくりローラをホームポジションからめくり方向に１回転「とさらにめくり部材がホームポジションを越えてめくり部材に係止することがある頁先端の係止を解除し得る位置まで回転」させた後、若干量の逆転と正転を少なくとも１回行わせること、最終頁に対しては、「めくりローラをめくり方向に１回転させた後、若干量の逆転と正転を少なくとも１回行わせる」ことについては記載されていない。
　また、補正後の請求項３に記載されたように、指定めくり頁数が１の場合に、めくりローラをホームポジションからめくり方向に１回転「に加えてさらに前記めくり部材に係止することがある頁先端の係止を解除し得る位置まで回転」させ、若干量の逆転と正転を少なくとも１回行わせること、最終頁に対しては、めくりローラをホームポジションからめくり方向に１回転に加えてさらに前記めくり部材に係止することがある頁先端の係止を解除し得る位置まで回転させ、「若干量の逆転と正転を少なくとも１回行わせる」ことについては記載されていない。
　
　したがって、補正後の請求項２に記載された「指定めくり頁数が１の場合は、めくりローラをホームポジションからめくり方向に１回転とさらにめくり部材がホームポジションを越えてめくり部材に係止することがある頁先端の係止を解除し得る位置まで回転させ、若干量の逆転と正転を少なくとも１回行わせた後・・・」、「指定めくり頁数が２以上の場合は、１頁目に対しては、めくりローラをホームポジションからめくり方向に１回転とさらにめくり部材がホームポジションを越えてめくり部材に係止することがある頁先端の係止を解除し得る位置まで回転させた後、若干量の逆転と正転を少なくとも１回行わせ・・・」、「最終頁に対しては、めくりローラをめくり方向に１回転させた後、若干量の逆転と正転を少なくとも１回行わせ・・・」及び、補正後の請求項３に記載された「指定めくり頁数が１の場合は、めくりローラをホームポジションからめくり方向に１回転に加えてさらに前記めくり部材に係止することがある頁先端の係止を解除し得る位置まで回転させ、若干量の逆転と正転を少なくとも１回行わせた後・・・」、「最終頁に対しては、前記めくりローラをホームポジションからめくり方向に１回転に加えてさらにめくり部材に係止することがある頁先端の係止を解除し得る位置まで回転させ、若干量の逆転と正転を少なくとも１回行わせた後・・・」は、は当初明細書等に記載されたものでなく、かつ、自明なことでもない。
　
　よって、本件補正は特許法第１７条の２第３項の規定に違反するので、同法第１５９条第１項において読み替えて準用する同法第５３条第１項の規定により、却下すべきものである。
　
３．本願発明について 
（１）本願発明の認定
　本件補正が却下されたから、本願の請求項１に係る発明は、上記２．（１）に示した平成１７年１２月２２日付け手続補正書によって補正された明細書の特許請求の範囲【請求項１】に記載された事項によって特定されたとおりのものと認める（以下、「本願発明」という）。
　　
（２）引用刊行物
　本願出願前に頒布された刊行物であり、原査定の拒絶の理由に引用された特開昭５７−１３１５９８号公報（以下、「刊行物」という。）には、以下の記載が図示とともにある。
　
　ア．「（１）複数のページの紙葉を有する冊子のあるページの紙葉を綴じ目方向にめくる冊子の自動ページ替え制御方式において、搬送路内に冊子を所定方向に搬送する複数対の搬送用ローラと、搬送路上の該搬送用ローラの間に設けられページ替えすべき紙葉に接触して、この紙葉を所定方向にたぐり寄せる如く回転するページ替えローラと、冊子のあるページを所定方向に替える場合、該ページ替えローラを１回転よりも所定量だけオーバー回転させて、前記ページの次の紙葉にもページ替え動作を行なわしめ、かつ該次の紙葉の一端が該ページ替えローラから脱出しない以前に該ページ替えローラを前記所定方向とは逆の方向に回転させる如く該ページ替えローラの回転を制御する制御手段を有したことを特徴とする冊子の自動ページ替え制御方式。
（２）ページ替えローラは、モータにより回転される回転軸に固定された本体部と、該本体部のほぼ半円周にわたって設けられた表面が凹凸形状の摩擦力大なる部材で構成された歯部から成り、該歯部があるページの紙葉面に接触して、当該紙葉を綴じ目方向にめくると共に、次のページの紙葉の一端が該歯部から脱出する以前に該ページ替えローラは逆転駆動されることを特徴とする特許請求の範囲第１項記載の冊子の自動ページ替え制御方式。」（特許請求の範囲）
　イ．「本発明は冊子の自動ページ替え制御方式に関し、更に詳細に言えば、通帳を取り扱う銀行窓口装置、現金自動預金支払装置、自動記帳装置等の銀行業務処理装置において通帳のページを自動的にめくる通帳の自動ページ替え制御方式に関する。」（第１ページ右下欄第１２〜１７行目）
　ウ．「通帳挿入口１には搬送路２３が連通され、搬送路２３には通帳搬送用のローラ２，３，４，５が設けられる。」（第３ページ右上欄第１８〜２０行目）
　エ．「ローラ２とローラ３の間に位置する自動ページ替え部４０は本発明に特徴的な構成及び制御を成す。即ち、自動ページ替え部４０には、固定シャフト２６に取り付けられたページ替えローラ４９が設けられる。後述するがこのページ替えローラ４９は制御部１７からの制御により正方向及び逆方向に回転駆動され、通帳９のあるページの紙葉１５ｃを綴じ目方向にたぐり寄せることによりページ替え動作が行われる。即ち、このページ替えローラ４９が正方向に回転されると、通帳９の下側のページが正方向（ページ数が増加する方向）にめくられ、逆方向に回転されると、上側のページが逆方向（ページ数が減少する方向）にめくられる。」（第３ページ左下欄第９行目〜同ページ右下欄第２行目）
　オ．「通帳９のページを正方向又は逆方向にめくる場合には、制御部１７からモータ５７が正方向又は逆方向に回転駆動され、ページ替えローラ４９がｘ１方向又はｘ２方向に回転される。すると、歯部５０が通帳９の紙葉に接触して紙葉をめくり上げる。特に、本実施例においては、ページ替えローラ４９の歯部５０を凹凸形状のゴムで構成したので、より一層の摩擦力で通帳９の紙面と接触する。」（第４ページ左上欄第１９行目〜同ページ右上欄第７行目）
　カ．「演算回路２１はレジスタ２０にセットされた印字すべきページ、印字済み行等の情報と、レジスタ１９にセットされた実際に開ページされたページ識別コード、印字済み行等の情報に基づき演算を行い、その演算結果は制御部１７に送られると共に、磁気ストライプ２７に書き込むためにレジスタ２０にセットされる。簡単に言えば、演算回路２１は、磁気ストライプ２７に記録された情報に基づいて、現に開ページされた通帳９のページが正しいか否かのチェック・・・を行うものである。」（第４ページ右下欄第１２行目〜第５ページ左上欄第４行目）
　キ．「さて、この様な動作中において通帳のページ替えが必要な場合としては・・・通帳挿入口１より開かれて挿入された通帳９が本来開ページされるべきでないページ、例えば未印字ページを残しながらすでに全行に渡って印字が行われたページを開いて挿入されたとか・・・等である。・・・ページ替え動作が必要になった場合、通帳９は制御部１７からの指令で起動されるローラ２，ローラ３，ローラ４，ローラ５によって改ページすべきページがページ替えローラ４９の下に位置するまで搬送され停止される。・・・制御モータ５７が起動される（第５図イ）。すると回転シャフト２８に固定されたページ替えローラ４９が回転されその歯部５０が通帳９の本来ページ替えされるべき例えばわん曲、折れぐせ等の生じた紙葉１５ｃを一枚ひっかけてページめくりが進行する。（第５図ロ）そして第５図（ハ）の状態・・・（前述の待機状態からおおよそ１回転後の第５図（ハ）の状態）においても通帳９の本来ページ替えされるべき紙葉１５ｃの一端は、わん曲、折れぐせ等によってページ替えローラ４９の歯部５０との間にスリップ等が生じページ替えローラ４９の後方にはじき飛ばされることはなく、搬送路２３内に残留する。・・・即ち、第５図（ニ）に示す様に、本来ページ替えされるべきわん曲、折れぐせ等の生じた紙葉１５ｃの次ページの紙葉１５’にも継続してページ替えが開始される。この次ページの紙葉１５’によって本来ページ替えされるべき紙葉１５ｃの一端１５ｂが後押しされ、搬送路２３外に完全に押し出される。・・・この様にして第５図（ニ）に示す様に、ある設定時間までページ替えローラ４９はオーバー回転し続け、制御部１７内の設定時間値が“０”になったことの信号によって、制御部１７はモータ５７の回転を停止させる・・・第５図（ニ）の状態から第５図（へ）の状態に移る過程において、ページ替えローラ４９の歯部５０は第５図（ホ）に示す様に、本来ページ替えされるべき紙葉１５ｃを後押しした次ページの紙葉１５’の巻き込みを開始し、第５図（へ）に示す様に次ページの紙葉１５’を完全に元の状態に戻す。・・・通帳９は印字部２４方向へ給送され、またシャッター２９が閉られて１ページのページ替え動作が終了する。」（第６ページ左上欄第１行目〜同ページ右下欄第１９行目）
　ク．第２図より、搬送路２３中の定位置にページ替えローラ４９が設けられている点が把握できる。
　ケ．第３図より、ページ替えローラ４９は、外周面の一部において半径方向に突出する歯部５０を有する点が把握できる。
　コ．第５図（ロ）より、ページ替えローラ４９を正方向に回転させて、通帳９のページ替えローラ４９に接触する紙葉１５ｃを膨らませる点、第５図（ニ）より、ページ替えローラ４９を歯部５０が真上に位置する状態よりさらに正方向に回転させる点、第５図（ホ）より、ページ替えローラ４９を逆方向に回転させる点、第５図（へ）より、紙葉１５ｃが、歯部５０が真上に位置するページ替えローラ４９の上方に跳ね上げさせられる点、第５図（ト）より、通帳９の綴じ目がページ替えローラ４９の下側を通過する方向に搬送して、跳ね上げさせた紙葉１５ｃを反転させることにより、頁をめくる点が把握できる。
　
　エ．の「固定シャフト２６に取り付けられたページ替えローラ４９が設けられる。」の記載より、「ページ替えローラ４９が１軸上に設けられている」といえる。
　キ．の「改ページすべきページがページ替えローラ４９の下に位置する」位置を「所定のめくり位置」と称して差し支えない。
　エ．の「ページ替えローラ４９は制御部１７からの制御により正方向及び逆方向に回転駆動され、通帳９のあるページの紙葉１５ｃを綴じ目方向にたぐり寄せることによりページ替え動作が行われる。即ち、このページ替えローラ４９が正方向に回転されると、通帳９の下側のページが正方向（ページ数が増加する方向）にめくられ、逆方向に回転されると、上側のページが逆方向（ページ数が減少する方向）にめくられる。」の記載より、ページ替えローラ４９は正方向又は逆方向に回転されるといえ、ページが正方向にめくられることを「正めくり」、ページが逆方向にめくられることを「逆めくり」と称することができる。
　キ．の「制御モータ５７が起動される（第５図イ）」、「前述の待機状態からおおよそ１回転後の第５図（ハ）の状態」の記載及び第５図（イ）、第５図（ハ）より、歯部５０が真上に位置する状態を「ページ替えローラ４９のホームポジション」ということができる。
　引用発明は冊子の自動ページ替え制御方式に係る発明であるが、冊子の自動ページ替え装置も認識でき、「冊子」には「通帳」が含まれるから、「通帳の自動ページ替装置」が開示されていると認められる。
　
　従って、上記記載及び図面を含む刊行物全体の記載から、刊行物には、以下の発明が開示されていると認められる。
　「搬送路２３中の定位置に外周面の一部において半径方向に突出する歯部５０を有するページ替えローラ４９を１軸上において設け、そのページ替えローラ４９を正方向又は逆方向に回転させて、所定のめくり位置に停止された通帳９の前記めくりローラに接触する紙葉１５ｃを膨らませ、かつ、ページ替えローラ４９の上方に跳ね上げさせた後、通帳の綴じ目がページ替えローラ４９の下側を通過する方向に搬送して、跳ね上げさせた紙葉１５ｃを反転させることにより、頁の正めくり又は逆めくりを行う通帳の自動ページ替装置において、
　歯部５０が真上に位置する状態をページ替えローラ４９のホームポジションとし、ページ替えローラ４９をホームポジションを越える角度まで正方向に回転させて、跳ね上げさせた紙葉１５ｃを通帳９の搬送により反転させる前に、ページ替えローラ４９を反対方向に回転させてホームポジションに復帰させて１ページのページ替え動作が行われるモータ５７の制御部１７を備えた通帳の自動ページ替装置。」（以下、「引用発明」という。）
　
（３）対比
　本願発明と引用発明とを対比する。
　ａ．引用発明の「搬送路２３」、「歯部５０」、「ページ替えローラ４９」、「通帳９」、「紙葉１５ｃ」、「正方向又は逆方向」、「演算回路２１」、「モータ５７の制御部１７」、「通帳の自動ページ替装置」は、それぞれ本願発明の「通帳搬送路」、「めくり部材」、「めくりローラ」、「通帳」、「表紙又は中紙」、「所定の一方向又は他方向」及び「所定方向」、「演算制御部」、「めくりモータ制御手段」、「通帳頁めくり装置」に相当する。
　ｂ．本願発明の「跳ね上げさせた中紙を通帳の搬送により反転させる前又は後に」との選択的記載によれば、本願発明は、「跳ね上げさせた中紙を通帳の搬送により反転させる前に、・・・めくりモータ制御手段を備えたことを特徴とする通帳頁めくり装置。」という発明を含むものである。
　
　したがって、本願発明と引用発明を比較すると、
 「通帳搬送路中の定位置に外周面の一部において半径方向に突出するめくり部材を有するめくりローラを１軸上において設け、そのめくりローラを所定の一方向又は他方向に回転させて、所定のめくり位置に停止された通帳の前記めくりローラに接触する表紙又は中紙を膨らませ、かつ、前記めくりローラの上方に跳ね上げさせた後、前記通帳の綴じ目が前記めくりローラの下側を通過する方向に搬送して、前記跳ね上げさせた表紙又は中紙を反転させることにより、頁の正めくり又は逆めくりを行う通帳頁めくり装置において、
　前記めくり部材が真上に位置する状態を前記めくりローラのホームポジションとし、めくりローラをホームポジションを越える角度まで所定方向に回転させて、跳ね上げさせた中紙を通帳の搬送により反転させる前に、めくりローラを反対方向に回転させてホームポジションに復帰させるめくりモータ制御手段を備えた通帳頁めくり装置。」の点で一致し、以下の点で相違する。
　
　［相違点］　本願発明においては、「演算制御部が出力する指定めくり枚数が複数枚の場合、少なくとも最後の頁めくりの場合」は、めくりローラをホームポジションを越える角度まで所定方向に回転させて、「中紙の先端のめくり部材に対する係止を解除した」後、跳ね上げさせた中紙を通帳の搬送により反転させる前に、めくりローラを反対方向に回転させてホームポジションに復帰させるのに対し、引用発明では、上記特定を有していない点。
　
（４）判断
　［相違点］について検討する。
　引用発明においては、１頁ずつ頁めくりをするたびに、「めくりローラをホームポジションを越える角度まで所定方向に回転させて、跳ね上げさせた中紙を通帳の搬送により反転させる前に、めくりローラを反対方向に回転させてホームポジションに復帰させる」制御（以下、「特定の動作内容の制御」という。）が行われており、演算制御部が指定めくり枚数を出力しているかどうか不明である点において、「演算制御部が出力する指定めくり枚数が複数枚の場合、少なくとも最後の頁めくりの場合」特定の動作内容の制御を行う本願発明とは相違している。また、めくりローラをホームポジションを越える角度まで所定方向に回転させて、「中紙の先端のめくり部材に対する係止を解除した」後、跳ね上げさせた中紙を通帳の搬送により反転させることについては記載がなく、めくりローラをホームポジションを越える角度まで所定方向に回転させて、「中紙の先端のめくり部材に対する係止を解除した」かどうか不明である。
　しかしながら、印字対象ではないページが挿入された等、印字されるページまで複数のページをめくる必要がある場合においては、当然印字対象となるページまで複数のページがめくられることになるから、演算制御部が複数枚の指定めくり枚数を出力する構成とすることは当業者が容易に想到しうる程度のことであり、最後の頁めくりに引き続いて跳ね上げさせた中紙を通帳の搬送により反転させることからも、最後の頁めくりにおいて「中紙の先端のめくり部材に対する係止を解除」する必要があることは明らかであるから、引用発明において、上記特定の動作内容の制御を、「演算制御部が出力する指定めくり枚数が複数枚の場合、少なくとも最後の頁めくりの場合」行うようにすることに困難性は認められない。
　「中紙の先端のめくり部材に対する係止を解除した」かどうか不明な点について、引用発明においては、ページ替えローラ４９をホームポジションを越える角度まで正方向に回転させて紙葉１５ｃを跳ね上げさせているから、引用発明においても、中紙の先端がめくり部材に係止していた場合、当然その係止は解除されるものと認められる。頁めくり動作を正しく完了させるためには、「中紙の先端のめくり部材に対する係止を解除した」後、跳ね上げさせた中紙を通帳の搬送により反転させることは当然考慮すべきことであるから、引用発明において、「中紙の先端のめくり部材に対する係止を解除した」後、跳ね上げさせた中紙を通帳の搬送により反転させるようにすることは当業者が容易に想到しうる程度のことである。
　
　そして、本願発明の作用効果も、刊行物記載の発明から当業者が予測できる範囲のものである。
　
　したがって、本願発明は、特許法第２９条第２項の規定により、特許を受けることができない。
　　　　　　　
４．むすび　
　以上のとおり、本願発明は、その出願前に頒布された刊行物記載の発明に基づいて、当業者が容易に発明をすることができたものであり、特許法第２９条第２項の規定により特許を受けることができず、本願のその余の請求項について検討するまでもなく本願は拒絶すべきものである。
　よって、結論のとおり審決する。